(57)【要約】【課題】アンテナの収納を非接触に検知し、検知結果に応じて装置の動作を制御できる携帯無線通信装置を得る。【解決手段】筺体内に収納可能なアンテナを備えた携帯無線通信装置において、筺体内に収納されたアンテナ本体を非接触に検知する検知手段と、検知手段の検知結果に応じて、携帯無線通信装置の動作を制御する制御部とを備えた。【選択図】図１
2009200682.tif 000002
【特許請求の範囲】
【請求項１】
筺体内に収納可能なアンテナを備えた携帯無線通信装置において、
前記筺体内に収納されたアンテナ本体を非接触に検知する検知手段と、
前記検知手段の検知結果に応じて、前記携帯無線通信装置の動作を制御する制御部とを備えたことを特徴とする携帯無線通信装置。
【請求項２】
無線通信を行う無線通信部を備え、
制御部は検知手段がアンテナを検知しておらず、当該アンテナが筺体から伸長している場合、前記無線通信部を制御して無線通信を開始し、
前記検知手段が前記アンテナを検知し、当該アンテナが前記筺体内に収納された場合、前記無線通信部を制御して無線通信を終了することを特徴とする請求項１記載の無線通信装置。
【請求項３】
検知手段は、導体で構成されたアンテナ本体を非接触に検知する導体センサであることを特徴とする請求項１又は請求項２記載の携帯無線通信装置。
【請求項４】
検知手段は、照射した光のアンテナ本体における反射光を受信することによって、当該アンテナ本体を非接触に検知する光センサであることを特徴とする請求項１又は請求項２記載の携帯無線通信装置。
【発明の詳細な説明】
【技術分野】
【０００１】
アンテナを筺体内に収納可能な携帯無線通信装置に関するものである。
【背景技術】
【０００２】
携帯電話や放送受信端末に代表される携帯無線通信装置において、従来からアンテナを装置筺体内に収納可能なものが知られている。
例えば、特許文献１には、アンテナの収容ケース内にアンテナが収納されるとオンするスイッチを設け、アンテナの収納を検知するものが開示されている。また、特許文献２には、伸長可能なアンテナに磁石を取り付け、アンテナが伸長されると磁気センサで上記磁石の位置を検知するものが開示されている。
【０００３】
【特許文献１】特開平９−１８６５１６号公報
【特許文献２】特開２００２−１４１７２０号公報
【発明の開示】
【発明が解決しようとする課題】
【０００４】
従来では、アンテナとスイッチを機械的に接触させてアンテナの収納を検知するため、アンテナ及びスイッチが磨耗又は破損し故障するという課題があった。
また、磁気センサでアンテナの伸長を検知する場合、アンテナの伸長に連動する部位に磁石を設ける必要があり、かつ、アンテナが伸長された状態又はアンテナが収納された状態で磁石を検知可能な位置に磁気センサを配置する必要があるため、磁石および磁気センサの配置が制限されるという課題があった。
【０００５】
この発明は、上記のような課題を解決するためになされたもので、アンテナの収納を非接触に検知し、検知結果に応じて装置の動作を制御できる携帯無線通信装置を得ることを目的とする。
【課題を解決するための手段】
【０００６】
この発明に係る携帯無線通信装置は、筺体内に収納可能なアンテナを備えた携帯無線通信装置において、筺体内に収納されたアンテナ本体を非接触に検知する検知手段と、検知手段の検知結果に応じて、携帯無線通信装置の動作を制御する制御部とを備えたものである。
【発明の効果】
【０００７】
この発明によれば、筺体内に収納されたアンテナ本体を非接触に検知し、この検知結果に応じて操作の動作を制御するので、アンテナ自体の構造を変更せずにアンテナの収納を検知し、この検知結果に応じて装置の動作を制御することができるとともに、非接触でアンテナを検知することにより、アンテナの磨耗や破損による検知手段の故障を防止することができる。
【発明を実施するための最良の形態】
【０００８】
以下、この発明をより詳細に説明するために、本発明を実施するための最良の形態について、添付の図面に従って説明する。
実施の形態１．
図１は、この発明の実施の形態１による携帯無線通信装置のアンテナ及びその周辺構造を示す図であり、図１（ａ）はアンテナを伸長させたときの状態、図１（ｂ）はアンテナを収納させたときの状態を示す図である。
【０００９】
携帯無線通信装置において、筺体内の図示しない給電部と電気的に接続され導体で構成されたアンテナ（アンテナ本体）１１が、筺体に固定されたアンテナサポート部１２の中心孔に挿入されており、このアンテナサポート部１２によってアンテナ１１が伸長、収納自在に支持される。
また、近接センサ（検知手段）１３は、導体を検知する導体センサであり、図１（ｂ）に示すように筺体内に収納されたアンテナ１１が検知可能な位置に配置される。このように配置されると図１（ａ）に示すように近接センサ１３は、筺体内から伸長されたアンテナ１１を検知できない。
【００１０】
図１（ａ）に示すようにアンテナ１１をアンテナサポート部１２を介して筺体から伸長させた場合、アンテナ１１が、近接センサ１３のセンサ検知範囲から外れる。一方、図１（ｂ）に示すようにアンテナ１１をアンテナサポート部１２を介して筺体内に収納させた場合、近接センサ１３のセンサ検知範囲まで収納すると、近接センサ１３はアンテナ１１を検知する。
【００１１】
図２は、放送受信機能を有する携帯無線通信装置２０の構成の概略を示すブロック図である。
携帯無線通信装置２０は、アンテナ（アンテナ本体）１１、近接センサ（検知手段）１３、ユーザにより操作されたキーに応じて操作を要求するキー操作部２１、操作要求及びアンテナ１１の状態に基づいて放送受信部２３の動作を制御する回路制御部（制御部）２２、回路制御部２２の指示に応じて放送を受信する放送受信部（無線通信部）２３、受信された放送の画像を表示する画像表示部２４、受信された放送の音声を出力する音声出力部２５を備える。
【００１２】
次に、本実施の形態による携帯無線通信装置２０の動作を説明する。
アンテナサポート部１２を介して収納されていたアンテナ１１が伸長され、近接センサ１３がアンテナ１１を検知しなくなると、回路制御部２２はキー操作部２１からのキー操作に基づいて放送受信部２３を制御して、アンテナ１１から受信した放送を画像表示部２４、音声出力部２５からそれぞれ画像と音声を出力させる。
また、放送を受信している状態でアンテナ１１がアンテナサポート部１２を介して収納されると、回路制御部２２はキー操作部２１からのキー操作に基づいて放送受信部２３を制御して放送の受信を終了する。
【００１３】
図３は、アンテナ１１が伸長状態又は収納状態であることに基づいた回路制御部２２の処理を示すフローチャートである。
携帯無線通信装置２０の電源がオンにされ（ステップＳＴ１００）、アンテナ１１が収納された状態であると、放送は未受信の状態である（ステップＳＴ１０１）。
ユーザによりアンテナ１１がアンテナサポート部１２を介して筺体から引き出されると、回路制御部２２は、アンテナ１１が近接センサ１３の検出範囲から外れアンテナ１１が伸長状態になったことを判定して（ステップＳＴ１０２）、放送受信部２３に放送受信開始を指示する（ステップＳＴ１０３）。
【００１４】
ステップＳＴ１０２において、アンテナ１１が伸長状態になったことを判定していない場合、キー操作部２１の操作により放送受信開始を要求されたか否かを確認する（ステップＳＴ１０４）。
放送受信開始を要求された場合、アンテナ１１を伸長状態にするよう促す画像を放送受信部２３を介して画像表示部２４に表示させた後（ステップＳＴ１０５）、ステップＳＴ１０３に進んで放送受信開始処理を行う。
放送受信開始を要求されていない場合、ステップＳＴ１０１に戻り放送未受信の状態になる。
【００１５】
放送受信部２３は、回路制御部２２からの指示に従い、アンテナ１１から放送を受信した放送を画像表示部２４、音声出力部２５からそれぞれ画像と音声を出力させて放送を受信している状態になる（ステップＳＴ１０６）。
【００１６】
放送を受信している状態において、回路制御部２２は近接センサ１３からアンテナ１１が検知されるとアンテナ１１が収納状態になったと判定し（ステップＳＴ１０７）、放送の受信を終了するように指示する（ステップＳＴ１０８）。
【００１７】
ステップＳＴ１０７において、アンテナ１１が収納状態ではないと判定すると、キー操作部２１からの放送受信を終了する要求の有無を確認する（ステップＳＴ１０９）。
放送受信終了要求があった場合、アンテナを収納するよう促す画像を放送受信部２３を介して画像表示部２４に表示させた後（ステップＳＴ１１０）、ステップＳＴ１０８に進み放送の受信を終了する処理を行う。
【００１８】
放送の受信終了後、電源をオフにするための操作要求があったかを確認し（ステップＳＴ１１１）、電源をオフにする操作があれば電源オフの処理が行われ（ステップＳＴ１１２）、電源をオフにする操作がなければステップＳＴ１０１に戻って放送未受信状態で待機する。
【００１９】
以上のように、実施の形態１の携帯無線通信装置によれば、アンテナ１１を構成する導体を検知する近接センサ１３がアンテナ１１を非接触で検知するようにしたので、アンテナ１１そのものの構造を変更せずにアンテナ１１が収納されているか否かを検知することができるとともに、機械的接触によってアンテナ１１の磨耗や破損による検知手段の故障を防止することができる。
【００２０】
また、アンテナ１１そのものを検知するようにしたので、従来のようにアンテナに取り付けた磁石の位置に制限されることなく、近接センサ１３は収納した状態のアンテナ１１の位置の範囲で自由に配置できる。
さらに、放送を受信するために必須であるアンテナの伸長状態又は収納状態を判定して放送受信処理の開始又は終了の処理を行うようにしたので、放送受信機能の処理を早く行うことができる。
【００２１】
なお、本実施の形態では、近接センサ１３を導体センサとして説明したが、近接センサ１３は、例えば、金属の存在を検知する誘導形近接センサ、金属及び非金属物体の存在を検知する静電容量形近接センサ、音響反射物体を検知する超音波近接センサ、物体の存在を検知する光電形近接センサがあり、物体の接近及び近傍の物体の有無を非接触で検知するセンサであれば、本発明の実施の形態と同様の効果を得ることができる。
【００２２】
実施の形態２．
上記実施の形態１では、近接センサ１３を設けアンテナ１１を検知することにより伸長状態及び収納状態を判定していたが、近接センサ１３としてフォトリフレクタ（検知手段）３１を用いてアンテナ１１を検知するようにしてもよい。
【００２３】
図４は、この発明の実施の形態２による携帯無線通信装置２０のアンテナ及びその周辺構造を示す図であり、図４（ａ）はアンテナ１１を伸長させたときの状態、図４（ｂ）はアンテナ１１を収納させたときの状態を示す図である。
【００２４】
フォトリフレクタ３１は、光により物体を検知する光センサであり、図４（ｂ）に示すように筺体内に収納されたアンテナ１１が検知可能な位置に配置される。このように配置されると図４（ａ）に示すようにフォトリフレクタ３１は、筺体内から伸長されたアンテナ１１を検知できない。
【００２５】
フォトリフレクタ３１は、図示しない発光部と受光部とで構成され、発光部から光が出力され、物体に当たってその反射した光が受光部に入力されると物体があることを検知するものである。よって、アンテナ１１の収納部の内壁には、例えば黒色ＡＢＳ樹脂などの反射率の低い物質を使用しており、携帯無線通信装置２０は、フォトリフレクタ３１が収納されているアンテナ１１だけを検知するように構成されている。
【００２６】
なお、本実施の形態の携帯無線通信装置の構成は、上記実施の形態１の携帯無線通信装置２０の近接センサ１３をフォトリフレクタ３１とした構成であり、他の構成は実施の形態１と同様であるため説明を省略する。
【００２７】
フォトリフレクタ３１によるアンテナ１１の検知について説明する。
図４（ａ）に示すようにアンテナ１１をアンテナサポート部１２を介して筺体内から伸長させた場合、アンテナ１１がフォトリフレクタ３１のセンサ検知範囲から外れる。一方、図４（ｂ）に示すようにアンテナ１１をアンテナサポート部１２を介して筺体内に収納させた場合、フォトリフレクタ３１のセンサ検知範囲まで収納すると、フォトリフレクタ３１はアンテナ１１を検知する。
【００２８】
なお、本実施の形態の携帯無線通信装置においても、フォトリフレクタ３１によるアンテナ１１の検知状態に基づいて回路制御部２２が放送受信装置２３を制御する動作は、実施の形態１と同様であるため説明を省略する。
【００２９】
以上のように、実施の形態２の携帯無線通信装置によれば、フォトリフレクタ３１がアンテナの伸長及び収納を検知するようにしたので、実施の形態１と同様の効果がある。
【図面の簡単な説明】
【００３０】
【図１】実施の形態１における携帯無線通信装置のアンテナ及びその周辺構造を示す図である。
【図２】本発明による携帯無線通信装置のブロック図である。
【図３】本発明による携帯無線通信装置の回路制御部の処理を示すフローチャートである。
【図４】実施の形態２における携帯無線通信装置のアンテナ及びその周辺構造を示す図である。
【符号の説明】
【００３１】
１１  アンテナ、１２  アンテナサポート部、１３  近接センサ（検知手段）、２０  携帯無線通信装置、２１  キー操作部、２２  回路制御部（制御部）、２３  放送受信部（無線通信部）、２４  画像表示部、２５  音声出力部、３１  フォトリフレクタ（検知手段）。 
【図１】
2009200682.tif 000003
【図２】
2009200682.tif 000004
【図３】
2009200682.tif 000005
【図４】
2009200682.tif 000006